(57)【要約】【課題】  ファクシミリのワンタッチダイヤルのように、１つのキーに複数の機能やプログラムをなるべく多く割り付け可能としたうえで、使用するさいには簡単に登録した機能を選択可能とする機器操作部を提供する。【解決手段】  操作部カバー１、宛先選択板２、グループ切り換え板４、グループ切り換え板検知手段を備えた機器操作部において、前記操作部カバー１に回転自在に固定された前記宛先選択板２を所定の角度毎に半固定可能にかつ前記検知手段５でこの回転位置を認識し、それによって前記宛先選択板２に割り付ける入力項目を予め設定した入力項目に変更可能とした。【選択図】        図３
2005072733.tif 000002
【特許請求の範囲】
【請求項１】
操作部カバー、宛先選択板、グループ切り換え板、このグループ切り換え板を検知する切り換え板検知手段を備えた機器操作部において、前記操作部カバーに回転自在に固定された前記宛先選択板を所定の角度毎に半固定可能にかつ前記検知手段でこの回転位置を認識し、それによって前記宛先選択板に割り付ける入力項目を予め設定した入力項目に変更可能としたことを特徴とする機器操作部。
【請求項２】
前記宛先選択板の１つの半固定位置に対してｎ個の機能を割り付け可能とし、前記グループ切り換え板にもｎ個の位置で半固定可能とし、各々の位置検出を可能とすることを特徴とする請求項１記載の機器操作部。
【請求項３】
前記宛先選択板の位置と前記グループ切り換え板の位置の両方から１つの機能を決定して実行することを特徴とする請求項２記載の機器操作部。
【請求項４】
前記宛先選択板の表面に割り付けられた機能を表示可能とし、前記操作部カバーに設けた宛先表示窓から選択している機能のみ視認可能とすることを特徴とする請求項１記載の機器操作部。
【請求項５】
前記グループ切り換え板に設けた視認可否部分と前記宛先表示窓の組合せで同様に選択している機能を視認可能とすることを特徴とする請求項２記載の機器操作部。
【発明の詳細な説明】
【技術分野】
【０００１】
本発明は、電話機、ファクシミリ等の電子機器における機器操作部に関するものである。
【背景技術】
【０００２】
電子機器における機器操作部の構成において切り換え板を使用することは従来から知られている（例えば、特許文献１参照）。
【特許文献１】特開平８−３２０６３６号公報
【発明の開示】
【発明が解決しようとする課題】
【０００３】
特許文献１において、従来の複数機能キーに関しては、図２に示されたように切り換え板を所定方向に倒すことで１個のキーに対して２個の機能を持たせることが可能となる。
また、この特許文献１の図３および図４に示されたようにこのユニット自体を開閉可能とすることで開いたさいにさらに他の１つの機能を割り付けることもできる。
ここで、切り換え板にヒンジを使用したり、ユニット自体を回動可能とすることでは機器の構成部品が増加して、装置が大きくなるだけではなく構成部品費が増大したり全体の系として故障等に対する信頼性を下げてしまうことがあった。
そこで本発明の目的は、上記の問題点を解決するために、ファクシミリのワンタッチダイヤルのように、１つのキーに複数の機能やプログラムをなるべく多く割り付け可能としたうえで、使用するさいには登録した機能を簡単に選択可能とする機器操作部を提供することにある。
【課題を解決するための手段】
【０００４】
前記の課題を解決するために、請求項１記載の発明では、操作部カバー、宛先選択板、グループ切り換え板、このグループ切り換え板検知手段を備えた機器操作部において、前記操作部カバーに回転自在に固定された前記宛先選択板を所定の角度毎に半固定可能にかつ前記検知手段でこの回転位置を認識し、それによって前記宛先選択板に割り付ける入力項目を予め設定した入力項目に変更可能とした機器操作部を最も主要な特徴とする。
請求項２記載の発明では、前記宛先選択板の１つの半固定位置に対してｎ個の機能を割り付け可能とし、前記グループ切り換え板にもｎ個の位置で半固定可能とし、各々の位置検出を可能とする請求項１記載の機器操作部を主要な特徴とする。
請求項３記載の発明では、前記宛先選択板の位置と前記グループ切り換え板の位置の両方から１つの機能を決定して実行する請求項２記載の機器操作部を主要な特徴とする。
請求項４記載の発明では、前記宛先選択板の表面に割り付けられた機能（宛先）を表示可能とし、前記操作部カバーに設けた宛先表示窓から選択している機能のみ視認可能とする請求項１記載の機器操作部を主要な特徴とする。
請求項５記載の発明では、前記グループ切り換え板に設けた視認可否部分と前記宛先表示窓の組合せで同様に選択している機能を視認可能とする請求項２記載の機器操作部を主要な特徴とする。
【発明の効果】
【０００５】
請求項１によれば、操作部カバーに回転可能に支持した宛先選択板の位置検出を行って、１つの決定キーしか使用しないため操作性を損なわずに部品費を低減し、信頼性を向上させることができる。
請求項２によれば、グループ切り換え板の固定箇所ごとに複数の機能を登録できるため、全体としての登録件数を増加させることが可能となる。
請求項３によれば、グループ切り換え板の固定箇所によって宛先選択板の機能をグループ分けするなど使用上の利便性を高めることが可能となり、割り付け数を積算的に増加させるとともに、使用するさいの操作性を損なわないようにすることができる。
請求項４によれば、操作部カバーの外側から宛先選択板の所定部分が視認可能かつそこにコメントを表示することができるので、選択した動作内容が理解でき誤操作を防止することができる。
請求項５によれば、例えば、ファクシミリ装置の送信宛先選択に使用する場合であれば、宛先選択板に相手先の名前を記入しておけば送信時に認識可能となり、機能を誤選択しないように割り付けた内容を直接表示可能とすることができる。
【発明を実施するための最良の形態】
【０００６】
以下、図面により本発明の実施の形態を詳細に説明する。図１は本発明による機器操作部をファクシミリ装置の送信宛先キーとして示す概略構成図である。この機器操作部において操作部カバー１には宛先選択板２が回転自在に支持されている。
宛先選択板２の近傍には宛先表示窓３、この宛先表示窓３の宛先選択板２とは反対側にグループ切り換え板４が配置される。宛先選択板２の位置とグループ切り換え板４の位置の両方から１つの機能を決定して実行する。
操作部カバー１に回転自在に固定された宛先選択板２を所定の角度毎に半固定可能にかつ検知手段（後述）でこの回転位置を認識し、それによって宛先選択板２に割り付ける入力項目を予め設定した入力項目に変更可能としている。
【０００７】
図２は宛先選択板周辺を拡大して示す概略平面図である。図２に示すよう、宛先選択板２を回転自在に支持し、所定の角度毎に図示しないラチェットなどによって半固定可能とし、各々の固定位置を後述する検知手段によって認識可能とする。宛先選択板２の中心部には、回転操作するためのノブ２ａが形成されている。
半固定された角度ごとに宛先を割り付けることで、宛先選択板２と図示しない宛先決定キーのみで複数の宛先を使用することが可能となる。また図２ではグループ切り換え板４をも使用した例を示している。
宛先選択板２の１つの半固定位置に対してｎ個の機能を割り付け可能とし、グループ切り換え板４にもｎ個の位置で半固定可能とし、各々の位置検出を可能としている。
ここで宛先選択板２には同心円上に３個のグループＡ、Ｂ、Ｃを表示可能としている。つまり、各円周軌跡Ａ、Ｂ、Ｃに沿った位置に表示された内容を対面する位置にある宛先表示窓３から表示できるように構成している。
また、グループ切り換え板４は上下方向にスライド可能とし、Ａ〜Ｃの選択位置で半固定、位置検出可能とする。符号４ａは、グループ切り換え板４を上下方向へ移動させるための操作ノブである。
グループ切り換え板４には宛先選択板２の表面に表示された宛先を選択的に視認可能とするためＡ〜Ｃの選択位置と合った部分のみを穴や透明窓４ａで構成する（図２で×印の無い部分）。
宛先選択板２の表面に割り付けられた機能（宛先）を表示可能とし、操作部カバー１に設けた宛先表示窓３から選択している機能のみ視認可能とする。グループ切り換え板４に設けた視認可否部分と宛先表示窓３の組合せで同様に選択している機能を視認可能とする。
図３は図２の宛先選択板周辺を示す断面図である。図３において、宛先選択板２の固定位置検出については、反射型フォトセンサ５を使用して行なう。反射型フォトセンサ５の場合、反射率、透過率の異なる部分を宛先選択板２の所定の位置に配置し、検出することで最小の個数のセンサで検知することが可能となる。
【０００８】
図４は図３の反射型フォトセンサの代替のセンサを示す概略図である。図５は図３の反射型フォトセンサの代替の他のセンサを示す概略図である。この場合に、図４では透過型フォトセンサ６を、図５ではリードスイッチ７などの手段を用いる。
図４の透過型フォトセンサ６の場合に、反射型フォトセンサ５と同様に、反射率、透過率の異なる部分を宛先選択板２の所定の位置に配置し、検出することで最小の個数のセンサで検知することが可能となる。
また、図５のリードスイッチ７の場合に、宛先選択板２の複数の所定箇所にカーボン印刷などの導体パターンを選択的に設け、機器本体の相対する位置に導通を検出する導体パターンなどを配置することで複数箇所のオンオフパターンが認識でき、宛先選択板２の角度を決定できる。
さらに、反射型フォトセンサ５および透過型フォトセンサ６の場合においても反射率、透過率を用いずにそれらを複数個設けてそれぞれのオンオフを検出してもよい。
【図面の簡単な説明】
【０００９】
【図１】本発明による機器操作部をファクシミリ装置の送信宛先キーとして示す概略構成図。
【図２】宛先選択板周辺を拡大して示す概略平面図。
【図３】図２の宛先選択板周辺を示す断面図。
【図４】図３の反射型フォトセンサの代替のセンサを示す概略図。
【図５】図３の反射型フォトセンサの代替の他のセンサを示す概略図。
【符号の説明】
【００１０】
１  操作部カバー
２  宛先選択板
３  宛先表示窓
４  グループ切り換え板
５  検知手段（反射型フォトセンサ）
【図１】
2005072733.tif 000003
【図２】
2005072733.tif 000004
【図３】
2005072733.tif 000005
【図４】
2005072733.tif 000006
【図５】
2005072733.tif 000007